(57)【要約】【課題】  より幅狭の配線カバーを得る。【解決手段】  細長いベースプレート２上に断面コ字状の細長いカバー体３を伏せて配置し、配線５の配索空間を形成するようにした配線カバー１において、ベースプレート２の両側端に設けた嵌合凹凸部（２ａ，２ｂ）と、カバー体３の両側壁の下端に設けた嵌合凹凸部（３ａ、３ｂ）とを相互に嵌合させることにより、ベースプレート２にカバー体３を装着するようにした。【選択図】      図４
2006121777.tif 000002
【特許請求の範囲】
【請求項１】
細長いベースプレート上に断面コ字状の細長いカバー体を伏せて配置し、配線の配索空間を形成するようにした配線カバーであって、
ベースプレートの両側端に設けた嵌合凹凸部と、カバー体の両側壁の下端に設けた嵌合凹凸部とを相互に嵌合させることにより、ベースプレートにカバー体を装着するようにしたことを特徴とする配線カバー。
【請求項２】
前記ベースプレートおよびカバー体の嵌合凹凸部は、それぞれ長手方向に一定ピッチで形成される複数の凹凸を含むことを特徴とする請求項１に記載の配線カバー。
【請求項３】
前記ベースプレートに、配線を留める留め具を嵌着させる嵌着部としての孔または切欠を形成したことを特徴とする請求項１または２に記載の配線カバー。
【請求項４】
前記嵌着部として、前記ベースプレートの嵌合凹凸部の凹部に切欠を設けたことを特徴とする請求項３に記載の配線カバー。
【請求項５】
前記嵌着部としての孔または切欠がベースプレートの表裏を貫通することを特徴とする請求項３に記載の配線カバー。
【発明の詳細な説明】
【技術分野】
【０００１】
本発明は、配線を被覆状態で配索するための配線カバーに関する。
【背景技術】
【０００２】
従来、屋内で配線を配索する場合に、当該配線を被覆すべく、配線カバーを用いる場合がある（例えば特許文献１）。
【０００３】
配線カバーは、壁面（床面、天井面を含む）上に設けられる細長いベース部材と、ベース部材上を覆う断面略コ字状の細長いカバー体とを備え、配線は、それらで囲まれて形成される空間内に配索される。
【０００４】
下記特許文献１に記載の配線カバーでは、ベース部材の上面に長手方向に沿って一対の側壁が延設され、これら一対の側壁にカバー体の両側壁が外嵌されている。さらに、ベース部材の側壁には、配線用の留め具を係合する係合部が設けられている。
【特許文献１】特開２００２−２９００７０号公報
【発明の開示】
【発明が解決しようとする課題】
【０００５】
しかしながら、上記従来の配線カバーでは、ベース部材上の一対の側壁にカバー体の両側壁を外嵌していたため、ベース部材の側壁とカバー体の側壁とが重なり合い、その分、ベース部材が幅広になってしまうという問題があった。
【０００６】
そこで、本発明は、より幅の狭い配線カバーを得ることを目的とする。
【課題を解決するための手段】
【０００７】
請求項１にあっては、細長いベースプレート上に断面コ字状の細長いカバー体を伏せて配置し、配線の配索空間を形成するようにした配線カバーであって、ベースプレートの両側端に設けた嵌合凹凸部と、カバー体の両側壁の下端に設けた嵌合凹凸部とを相互に嵌合させることにより、ベースプレートにカバー体を装着するようにしたことを特徴とする。
【０００８】
また、請求項２にあっては、上記ベースプレートおよびカバー体の嵌合凹凸部は、それぞれ長手方向に一定ピッチで形成される複数の凹凸を含むことを特徴とする。
【０００９】
また、請求項３にあっては、上記ベースプレートに、配線を留める留め具を嵌着させる嵌着部としての孔または切欠を形成したことを特徴とする。
【００１０】
また、請求項４にあっては、上記嵌着部として、上記ベースプレートの嵌合凹凸部の凹部に切欠を設けたことを特徴とする。
【００１１】
また、請求項５にあっては、上記嵌着部としての孔または切欠がベースプレートの表裏を貫通することを特徴とする。
【発明の効果】
【００１２】
請求項１の発明によれば、ベースプレートの両側端に設けた嵌合凹凸部と、カバー体の両側壁の下端に設けた嵌合凹凸部とを相互に嵌合させるようにしたため、ベース部材上に側壁を設けて当該側壁にカバー体の側壁を外接させた場合に比べて、配線カバーをより幅狭に構成することができる。
【００１３】
請求項２の発明によれば、嵌合凹凸部が長手方向に一定のピッチで複数の凹凸を含むため、ベースプレートの長手方向に沿った任意の位置（ただしピッチ単位）にカバー体を装着することができる。
【００１４】
請求項３の発明によれば、ベースプレートに、配線を留める留め具を嵌着させる嵌着部としての孔または切欠を形成したため、ベース部材上に設けた側壁に留め具を係止する場合に比べて、配線カバーをさらに幅狭に構成できる上、留め具を係止する構成をより簡素な構成として得ることができる。
【００１５】
請求項４の発明によれば、留め具用の嵌着部として、ベースプレートの嵌合凹凸部の凹部に切欠を設けたため、他の部位に設けた場合に比べてより容易に嵌着部を形成することができるとともに、嵌着部を孔とした場合に比べてベースプレートの強度を高くすることができる。
【００１６】
請求項５の発明によれば、孔または切欠をベースプレートの表裏を貫通させるようにしたため、留め具をベースプレートを装着する壁面に比較的容易に打ち込むことができ、配線あるいはベースプレートを当該壁面により強固に固定することができる。
【発明を実施するための最良の形態】
【００１７】
以下、本発明の実施形態について図面を参照しながら詳細に説明する。図１は、本実施形態にかかる配線カバーを示す斜視図、図２は、配線カバーのベースプレートを示す平面図、図３は、配線カバーのカバー体を示す側面図であって、（ａ）は長手方向外方から見た図、（ｂ）は幅方向外方から見た図、図４は、配線カバーの分解斜視図、図５は、配線カバーの裏面を示す平面図である。
【００１８】
配線カバー１は、細長い板状のベースプレート２と、断面コ字状の細長いカバー体３とを含む。このベースプレート２上にカバー体３を伏せて配置することで、矩形断面の配索空間４が形成され、この配索空間４内で、光ファイバケーブル等の配線５が配索される。
【００１９】
ベースプレート２は、樹脂等からなる長尺の細長い板状部材であり、屋内の壁や床、天井等の平坦面上に、貼付、接着により、あるいは当該ベースプレート２に挿通孔を穿設して、皿ねじ等の締結具を用いて固定される。
【００２０】
カバー体３は、樹脂等からなる断面コの字状の細長い部材であり、当該コの字の開口部をベースプレート２側に向ける姿勢でベースプレート２に取り付けられる。
【００２１】
ベースプレート２の両側端、およびカバー体３の両側壁の下端には、それぞれ嵌合凹凸部が形成されており、これら嵌合凹凸部同士を嵌合させることで、カバー体３がベースプレート２に装着されるようになっている。
【００２２】
本実施形態では、図２に示すように、ベースプレート２の両側端には、矩形切欠状の嵌合凹部２ａと嵌合凸部２ｃとを交互に含む嵌合凹凸部が形成される。一方、図３に示すように、カバー体３の両側壁の下端には、矩形切欠状の嵌合凹部３ｂと嵌合凸部３ａとを交互に含む嵌合凹凸部が形成される。そして、図４に示すように、ベースプレート２の嵌合凹部２ａがカバー体３の嵌合凸部３ａに嵌装され、かつベースプレート２の嵌合凸部２ｃがカバー体３の嵌合凹部３ｂに嵌挿されて、これらベースプレート２とカバー体３とが相互に嵌合するようになっている。なお、ベースプレート２の両側端で、嵌合凹部２ａ（嵌合凸部２ｃ）同士は、長手方向中心軸を挟んで相互に対向する位置に設けられており、同様に、カバー体３の両側壁の下端で、嵌合凹部３ｂ（嵌合凸部３ａ）同士も、長手方向中心軸を挟んで相互に対向する位置に設けられている。
【００２３】
これらベースプレート２およびカバー体３の嵌合凹凸部は、それぞれ長手方向に一定ピッチで形成される複数の凹凸を含んでいる。すなわち、長手方向に沿ってピッチ単位で同じ形状の凹凸が繰り返し形成されているため、カバー体３を、ベースプレート２の長手方向に沿った任意の位置（ただしピッチ単位）で装着することができる。
【００２４】
また、本実施形態では、ベースプレート２の嵌合凹部２ａの側端縁からの成形深さ（ベースプレート２の側端縁から嵌合凹部２ａの切欠奥側の端縁までの距離）を、カバー体３の側壁の厚みとほぼ同じにし、ベースプレート２上にカバー体３を装着したときに、カバー体３の側壁の表面とベースプレート２の側端壁の表面とが連接して、配線カバー１の一連の側壁面が形成されるようにしてある。
【００２５】
ベースプレート２には、配線５を留めるための留め具６を嵌着させる嵌合部が形成される。具体的には、この嵌合部として、ベースプレート２の嵌合凹部２ａの長手方向中央に矩形状の切欠２ｂが形成され、この切欠２ｂにコ字状の留め具６の脚部６ａが外嵌される。このように、ベースプレート２に留め具６用の嵌合部を形成することで、他の部位に設けた場合に比べて嵌着部をより容易に形成することができるとともに、嵌着部を孔とした場合に比べてベースプレートの強度を高くすることができる。
【００２６】
ここで、留め具６用の嵌合部は、ベースプレート２の表裏を貫通させるのが好適である。本実施形態では、上述したように、ベースプレート２の両側端の切欠２ｂを当該嵌合部として設けており、切欠２ｂはベースプレート２の表裏を貫通している。かかる構成とすることで、留め具６を、ベースプレート２の表面（カバー体３側の面）から裏面に貫通させ、ベースプレート２が装着される壁面に打ち込むことができる。こうすることで、留め具６の天板部６ｂにより、配線５あるいはベースプレート２を当該壁面側に押しつけ、より強固に固定することができるようになる。
【００２７】
また、本実施形態では、留め具６の嵌合部として設けた切欠２ｂを、カバー体３の嵌合凸部３ａが嵌着されるベースプレート２の嵌合凹部２ａに設けているため、当該留め具６の脚部６ａを、当該切欠２ｂの奥壁とカバー体３の嵌合凸部３ａの内壁との間に狭持して、より確実に留め具６を保持することができる。
【００２８】
以上、説明したように、本実施形態によれば、ベースプレート２の両側端に設けた嵌合凹凸部（２ａ，２ｃ）と、カバー体３の両側壁の下端に設けた嵌合凹凸部（３ａ，３ｂ）とを相互に嵌合させるようにしたため、ベース部材上に側壁を設けて当該側壁にカバー体の側壁を外接させる場合に比べて、配線カバー１をより幅狭に構成することができる。
【００２９】
また本実施形態によれば、嵌合凹凸部が長手方向に一定のピッチで複数の凹凸を含むため、ベースプレート２の長手方向に沿った任意の位置（ただしピッチ単位）にカバー体３を装着することができる。
【００３０】
また本実施形態によれば、ベースプレート２に、配線５を留める留め具６を嵌着させる嵌着部としての切欠２ｂを形成したため、従来構成のようにベース部材上に設けた側壁に留め具を係止する場合に比べて、配線カバー１をさらに幅狭に構成できる上、留め具６を係止するための構成をより簡素に得ることができる。
【００３１】
また本実施形態によれば、留め具６用の嵌着部として、ベースプレート２の嵌合凹部２ａに切欠を設けたため、他の部位に設けた場合に比べてより容易に嵌着部を形成することができるとともに、嵌着部を孔とした場合に比べてベースプレート２の強度を高くすることができる。
【００３２】
また本実施形態によれば、切欠２ｂがベースプレート２の表裏を貫通させるようにしたため、留め具６をベースプレート２を装着する壁面に比較的容易に打ち込むことができ、配線５あるいはベースプレート２を当該壁面により強固に固定することができる。
【００３３】
以上、本発明の好適な実施形態について説明したが、本発明は上記実施形態に限定されるものではなく、要旨を逸脱しない範囲で上記実施形態に種々の改変を施すことができる。例えば、上記実施形態では、留め具６用の嵌着部として切欠２ｂを形成したが、これを、ベースプレート２に設けた孔（例えば短冊状の孔あるいは長穴）とし、この孔で留め具６を狭持するようにしてもよい。ただし、切欠２ｂとした方が、ベースプレート２の強度は高くなる。
【００３４】
また、上記実施形態では、嵌合凹凸部の凹部と凸部を同じ長さにしているが、各嵌合凹凸部で凹部および凸部の長さを統一しておけば、カバー体３を長手方向の任意の位置に装着することができるのであって、凹部と凸部を同じ長さにしておくことは必須ではない。
【図面の簡単な説明】
【００３５】
【図１】本発明の実施形態にかかる配線カバーを示す斜視図。
【図２】本発明の実施形態にかかる配線カバーのベースプレートを示す平面図。
【図３】本発明の実施形態にかかる配線カバーのカバー体を示す側面図であって、（ａ）は長手方向外方から見た図、（ｂ）は幅方向外方から見た図。
【図４】本発明の実施形態にかかる配線カバーの分解斜視図。
【図５】本発明の実施形態にかかる配線カバーの裏面を示す平面図
【符号の説明】
【００３６】
１  配線カバー
２  ベースプレート
２ａ  嵌合凹部（ベースプレート２の嵌合凹凸部の凹部）
２ｂ  切欠（留め具６用の嵌着部）
２ｃ  嵌合凸部（ベースプレート２の嵌合凹凸部の凸部）
３  カバー体
３ａ  嵌合凸部（カバー体３の嵌合凹凸部の凸部）
３ｂ  嵌合凹部（カバー体３の嵌合凹凸部の凹部）
４  配索空間
５  配線
６  留め具
【図１】
2006121777.tif 000003
【図２】
2006121777.tif 000004
【図３】
2006121777.tif 000005
【図４】
2006121777.tif 000006
【図５】
2006121777.tif 000007